【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
コンピューティングインターフェースのインターフェースエレメントとの相互作用が可能な表示されるオブジェクトを操作する方法であって、
上記コンピューティングインターフェースは、
上記表示されるオブジェクトを表示エリアに表示するディスプレイモジュールと、
ユーザ入力を受信する入力モジュールとを有し、
上記方法は、
上記表示されるオブジェクトを上記インターフェースエレメントと相互作用させるユーザ入力を受信することと、
上記表示されるオブジェクトを上記受信された入力の性質にしたがって操作することとを含み、
上記操作は、上記受信された入力が、上記表示されるオブジェクトの上記インターフェースエレメントに属するとして指定された上記表示エリアの領域の中への移動、領域の外への移動、又は領域を通った移動となるとき、上記表示されるオブジェクトのサイズを変化させることを含む方法。
【請求項２】
上記ユーザ入力は、上記表示されるオブジェクトと上記インターフェースエレメントとの相互作用となる方法で、上記表示エリア内での上記表示されるオブジェクトの移動となる請求項１記載の方法。
【請求項３】
上記ユーザ入力は、上記表示されるオブジェクトを直接的に移動させる請求項２記載の方法。
【請求項４】
上記ユーザ入力は、上記表示されるオブジェクトを上記インターフェースエレメントの上記領域の中へ、上記領域の外へ、又は上記領域を通って移動させる請求項３記載の方法。
【請求項５】
上記ユーザ入力は、間接的に上記表示されるオブジェクトの移動となる請求項２記載の方法。
【請求項６】
上記ユーザ入力は、上記インターフェースエレメントの上記領域を上記表示エリア内で再定義し、上記インターフェースエレメントと上記表示されるオブジェクトとの相互作用となる請求項１又は２記載の方法。
【請求項７】
上記インターフェースエレメントの上記領域を再定義することは、上記領域を上記表示エリア内で移動する形式である請求項６記載の方法。
【請求項８】
上記インターフェースエレメントの上記領域を再定義することは、上記領域を上記表示エリア内でサイズ変更する形式である請求項６記載の方法。
【請求項９】
上記ユーザ入力は、上記インターフェースエレメントの操作属性の起動を示し、上記インターフェースエレメントと上記表示されるオブジェクトとの相互作用となる請求項１記載の方法。
【請求項１０】
上記オブジェクトのサイズは、上記領域を通る移動の方向にしたがって変化させられる請求項１から９のうちのいずれか１つの請求項記載の方法。
【請求項１１】
上記方向は、半径方向である請求項１０記載の方法。
【請求項１２】
上記オブジェクトのサイズは、上記オブジェクトが上記領域の中心に向かって移動されるにつれて縮小される請求項１１記載の方法。
【請求項１３】
上記オブジェクトのサイズは、上記オブジェクトが上記領域の中心から遠ざけられるにつれて拡大される請求項１１記載の方法。
【請求項１４】
上記方法は、複数の表示されるオブジェクトを上記受信された入力の性質にしたがって操作することを含む請求項１から１３のうちのいずれか１つの請求項記載の方法。
【請求項１５】
上記操作はさらに、上記領域の中へ、上記領域の外へ、又は上記領域を通って移動するすべての表示されるオブジェクトのサイズを変化させることを含む請求項１から１４のうちのいずれか１つの請求項記載の方法。
【請求項１６】
上記操作はさらに、上記領域が移動されるときに、上記領域の内部に位置するすべての表示されるオブジェクトを上記領域とともに移動させることを含む請求項１から１４のうちのいずれか１つの請求項記載の方法。
【請求項１７】
上記操作はさらに、上記領域が移動されるときに、上記領域が上記表示エリアの禁止されたゾーンに遭遇しない場合、上記領域の内部に位置するすべての表示されるオブジェクトを上記領域とともに移動させることを含み、
上記領域が上記表示エリアの禁止されたゾーンに遭遇した場合、上記領域は、上記禁止されたゾーンに入ることを防止され、かつ上記表示されるオブジェクトは、上記受信された入力にしたがって移動し続ける請求項１から１４のうちのいずれか１つの請求項記載の方法。
【請求項１８】
上記操作はさらに、上記ユーザ入力が上記インターフェースエレメントの影響属性の起動を示すとき、上記領域内のすべての表示されるオブジェクトを上記領域の中心に向かって移動させることを含む請求項１から１４のうちのいずれか１つの請求項記載の方法。
【請求項１９】
上記操作はさらに、上記ユーザ入力が上記インターフェースエレメントの操作属性の起動を示すとき、上記表示エリア内のすべての表示されるオブジェクトを上記領域の中心に向かって移動させることを含む請求項１から１４のうちのいずれか１つの請求項記載の方法。
【請求項２０】
上記操作はさらに、上記ユーザ入力が上記インターフェースエレメントの操作属性の起動を示すとき、選択された属性を有する表示されるオブジェクトを上記領域の中心に向かって移動させることを含む請求項１から１４のうちのいずれか１つの請求項記載の方法。
【請求項２１】
上記操作はさらに、上記領域の中心に到達する表示されるオブジェクトを隠すことを含む請求項１から１４のうちのいずれか１つの請求項記載の方法。
【請求項２２】
上記操作は、上記受信された入力が上記インターフェースエレメントの操作属性の起動を示すとき、上記領域内のすべての表示されるオブジェクトを上記領域の中心から遠ざけることである請求項１から１４のうちのいずれか１つの請求項記載の方法。
【請求項２３】
上記操作は、上記受信された入力が上記インターフェースエレメントの操作属性の起動を示すとき、上記表示エリア内のすべての表示されるオブジェクトを上記領域の中心から遠ざけることである請求項１から１４のうちのいずれか１つの請求項記載の方法。
【請求項２４】
上記操作はさらに、上記受信された入力が上記インターフェースエレメントの操作属性の起動を示すとき、選択された属性を有する表示されるオブジェクトを上記領域の中心から遠ざけることを含む請求項１から１４のうちのいずれか１つの請求項記載の方法。
【請求項２５】
上記操作はさらに、上記受信された入力が上記インターフェースエレメントの操作属性の起動を示すとき、上記領域内部の表示されるオブジェクトを削除することを含む請求項１から１４のうちのいずれか１つの請求項記載の方法。
【請求項２６】
上記操作はさらに、上記受信された入力が上記インターフェースエレメントのサイズ変更を示すとき、上記領域内部の表示されるオブジェクトをサイズ変更することを含む請求項１から１４のうちのいずれか１つの請求項記載の方法。
【請求項２７】
上記操作はさらに、上記受信された入力が上記インターフェースエレメントの操作属性の起動を示すとき、上記領域内部の隠された表示されるオブジェクトを見せることを含む請求項１から１４のうちのいずれか１つの請求項記載の方法。
【請求項２８】
上記インターフェースエレメントの表現は、上記領域内部に表示される請求項１から２７のうちのいずれか１つの請求項記載の方法。
【請求項２９】
コンピューティングインターフェースのインターフェースエレメントと相互作用する表示エリア内に表示されるオブジェクトを操作するコンピュータプログラムを記憶するコンピュータ読み取り可能な記憶媒体であって、
上記コンピュータプログラムは、コンピュータによって実行されるときに、上記コンピュータに、
上記表示されるオブジェクトを上記インターフェースエレメントと相互作用させるユーザ入力を受信させ、
上記表示されるオブジェクトを上記受信された入力の性質にしたがって操作させる命令を備え、
上記操作は、上記受信された入力が、上記表示されるオブジェクトの上記インターフェースエレメントに属するとして指定された上記表示エリアの領域の中への移動、領域の外への移動、又は領域を通った移動となるとき、上記表示されるオブジェクトのサイズを変化させることを含むコンピュータ読み取り可能な記憶媒体。
【請求項３０】
コンピューティングインターフェースのインターフェースエレメントと相互作用する表示されるオブジェクトを操作する装置であって、
上記装置は、
表示エリアを有するディスプレイと、
ユーザ入力と、
プロセッサとを備え、
上記プロセッサは、
上記表示されるオブジェクトを上記インターフェースエレメントと相互作用させるユーザ入力を受信し、
上記表示されるオブジェクトに上記受信された入力の性質にしたがって影響を及ぼすように構成され、
上記操作は、上記受信された入力が、上記表示されるオブジェクトの上記インターフェースエレメントに属するとして指定された上記表示エリアの領域の中への移動、領域の外への移動、又は領域を通った移動となるとき、上記表示されるオブジェクトのサイズを変化させることを含む装置。
【請求項３１】
コンピューティングインターフェースのインターフェースエレメントと相互作用する表示されるオブジェクトを操作する装置であって、
上記装置は、
表示エリアを有するディスプレイと、
ユーザ入力と、
上記表示されるオブジェクトを上記インターフェースエレメントと相互作用させるユーザ入力を受信する手段と、
上記表示されるオブジェクトを上記受信された入力の性質にしたがって操作する手段とを備え、
上記操作は、上記受信された入力が、上記表示されるオブジェクトの上記インターフェースエレメントに属するとして指定された上記表示エリアの領域の中への移動、領域の外への移動、又は領域を通った移動となるとき、上記表示されるオブジェクトのサイズを変化させることを含む装置。
【請求項３２】
表示エリアをカバーする表示を生成するディスプレイモジュールとユーザ入力を受信する入力モジュールとを有するコンピューティングインターフェースのためのインターフェースエレメントであって、
上記エレメントは、
上記表示されるオブジェクトを上記インターフェースエレメントと相互作用させるあるユーザ入力をインターフェースエレメント入力として指定するインターフェースエレメント相互作用モジュールと、
インターフェースエレメント入力が受信されたとき、上記表示内のオブジェクトを上記受信された入力の性質にしたがって操作するオブジェクト操作モジュールとを備え、
上記操作モジュールは、表示されるオブジェクトを上記領域の中へ、上記領域の外へ、又は上記領域を通って移動させるにつれて、上記入力が示す表示されるオブジェクトのサイズを変化させるように構成されるインターフェースエレメント。